(57)【特許請求の範囲】
【請求項１】
複数の映像入力手段と、
前記映像入力手段からの映像を切り換えるための任意の２つのタイミングを制御するタイミング制御手段と、
前記タイミング制御手段からのタイミング信号に従い映像を切り換える第１の映像切換手段及び第２の映像切換手段の２つの映像切換手段と、
第１の映像切換手段により切り換えられた映像を逐次記憶する第１の記憶手段と、
第２の映像切換手段により切り換えられた映像を逐次記憶する第２の記憶手段と、
第１の記憶手段の映像を出力する第１の映像出力手段と、
第２の記憶手段の映像を圧縮する圧縮伸張手段と、
圧縮された映像を記憶する記憶媒体と、
外部からの映像切換タイミングを入力する切換タイミング入力手段と、
切換タイミング入力手段の切換タイミングに従い前記複数の映像入力手段からの映像を切り換える第３の映像切換手段と、
第３の映像切換手段により切り換えられた映像を逐次記憶する第３の記憶手段と、
第３の記憶手段の映像を出力する第２の映像出力手段と、
を備え、
前記圧縮伸張手段は、前記記録媒体に圧縮し記録された映像を伸張し前記第１の記憶手段に逐次記憶を行なわせ、前記第１の映像出力手段から映像を出力させることを特徴とした映像切換録画再生装置。
【請求項２】
前記第２の記憶手段の映像を圧縮する圧縮伸張手段により圧縮された映像を、外部装置との間で、圧縮されたディジタル信号によって入出力するためのディジタル入出力手段と、圧縮手段とディジタル出力部とを備え、
複数個の映像入力手段からの映像を切り換えた後、圧縮して出力することを特徴とした請求項１記載の映像切換録画再生装置。
【請求項３】
第２のタイミング制御手段を備えたことを特徴とした請求項１又は２記載の映像切換録画再生装置。
【発明の詳細な説明】
【０００１】
【産業上の利用分野】
本発明は、複数台の監視カメラ等からの映像データを任意のタイミングで切り換えながら映像切換録画再生装置内の記録媒体または外部のハードディスクドライブ（以下ＨＤＤと呼ぶ）等の記録媒体に記録する映像切換録画再生装置に関するものである。また記録と実質的に同時に、ＨＤＤ等に記録した映像と同じ映像、または、別の任意のタイミングで切り換えた映像、または、圧縮された映像を出力し、これを他のＨＤＤ等の記録媒体に記録すると同時に別の記録装置にバックアップ記録を可能にする映像切換録画再生装置に関するものである。
【０００２】
【従来の技術】
ハードディスクドライブレコーダ（以後、ＨＤＤレコーダと称する）と呼ばれるハードディスクドライブを用いた監視用の録画装置は、複数の映像入力端子を備え、入力された複数の映像データを切り換えながら圧縮してＨＤＤに記録する。また、別途に設けられた映像切換装置により切り換えられた映像データを圧縮してＨＤＤ等の記録媒体に記録する。
【０００３】
大量の映像データをディジタル記録する場合、通常は圧縮して記録する。記録された映像データを長期保存する場合は、ＨＤＤ等に記録された圧縮された映像データを一旦再生し、ストリーマと呼ばれる長時間の記録が可能な磁気記録装置に時間をかけて記録する。
【０００４】
また、長期保存された映像を確認する場合、ストリーマに記録された圧縮された映像データを再生し、ＨＤＤレコーダに再度記録し、ＨＤＤレコーダを用いて圧縮された映像データを伸張し映像を確認する。
【０００５】
さらに、ＨＤＤ内にすでに記録されている映像を確認する場合、現状の映像データのＨＤＤへの記録を中止し、ＨＤＤ内にすでに記録されている映像を確認する。
【０００６】
【発明が解決しようとする課題】
しかしながら、上記従来のＨＤＤレコーダでは、映像を保存する場合、一度ＨＤＤに記録された圧縮映像データを再生し、ストリーマに時間をかけて再記録しなければならない。
【０００７】
また、保存された映像を確認する場合、ストリーマに記録された圧縮された映像データを再生し、ＨＤＤレコーダに再度記録し、ＨＤＤレコーダを用いて圧縮された映像データを伸張して映像を確認しなければならないと言う問題があった。
【０００８】
さらに、ＨＤＤ等に圧縮記録中に、すでに記録されているＨＤＤ内の映像を確認することができないという問題もあった。
【０００９】
本発明は上記問題を解決するもので、任意のタイミングで切り換えた映像を映像切換録画再生装置または外部のＨＤＤ等の記録媒体に圧縮し記録すると同時に、別の外部の記録装置に、前記のＨＤＤ等に記録される映像と同じ映像、または任意のタイミングで切り換えた映像を記録することができる。また、任意のタイミングで切り換えた映像を別途外部に設けたモニター等で確認することもできる。
【００１０】
さらに、別の外部の記録装置に、本来ＨＤＤに記録されるべき映像、または任意のタイミングで切り換えた映像を記録するバックアップ記録を行いつつすでにＨＤＤ等に圧縮記録されている映像を確認することもできる映像切換録画再生装置を提供することを目的とする。
【００１１】
【課題を解決するための手段】
請求項１の映像切換録画再生装置は、複数の映像入力手段と、これらの映像入力手段からの映像を切り換える任意の２つのタイミングを制御するタイミング制御手段と、このタイミング制御手段からのタイミング信号に従い映像を切り換える第１の映像切換手段と第２の映像切換手段の２つの映像切換手段と、第１の映像切換手段により切り換えられた映像を逐次記憶する第１の記憶手段と、第２の映像切換手段により切り換えられた映像を逐次記憶する第２の記憶手段と、その第１の記憶手段の映像出力を出力する第１の映像出力手段と、第２の記憶手段の映像を圧縮する圧縮伸張手段と、その圧縮された映像を記憶する記憶媒体と、外部からの映像切換タイミングを入力する切換タイミング入力手段とこの切換タイミング信号に従い前記複数個の映像入力手段からの映像を切り換える第３の映像切換手段と、第３の映像切換手段により切り換えられた映像を逐次記憶する第３の記憶手段と、その第３の記憶手段の映像を出力する第２の映像出力手段とを備え、前記圧縮伸張手段は、前記記録媒体に圧縮し記録された映像を伸張し前記第１の記憶手段に逐次記憶させ前記第１の映像出力手段から映像を出力させることを特徴としたものである。
【００１３】
請求項２の映像切換録画再生装置は、請求項１の構成に於いて、前記第２の記憶手段の映像を圧縮する圧縮伸張手段により圧縮された映像を、外部装置との間で圧縮されたディジタル信号によって入出力するためのディジタル入出力手段と圧縮手段とディジタル出力部とを備えたものである。
【００１５】
請求項３の映像切換録画再生装置は、請求項１、２の構成に於いて、第２のタイミング制御手段を備えたものである。
【００１６】
上記構成の映像切換録画再生装置は、数台の監視カメラ等からの映像を任意のタイミングで切り換えながら内部の記録媒体または外部のハードディスクドライブ（ＨＤＤ）等の記録媒体に記録する。また同時に、ＨＤＤ等に記録した映像と同じ映像、または、別の任意のタイミングで切り換えた映像、または、圧縮された映像を外部に出力することにより、別の外部の記録装置によるバックアップ記録を可能にする。また、任意のタイミングで切り換えた映像を別途外部に設けたモニター等での確認を可能にする。
【００１７】
さらに、別の外部の記録装置に本来ＨＤＤに記録される映像等を記録しながら（即ち、常にバックアップ記録しながら）すでにＨＤＤ内に圧縮記録されている映像を確認することもできる映像切換録画再生装置を提供するものである。
【００１８】
【実施の形態】
以下、本発明の各実施例について、図１ないし図４を参照しながら説明する。
《第１実施例》
図１は、本発明の第１の実施例における映像切換録画再生装置２０のブロック図である。図１において、複数個、例えば３個の映像入力部１Ａ，１Ｂ，１Ｃの各出力端は第１、第２、第３の映像切換部３、６、１１の各入力端に接続されている。映像入力部１Ａ，１Ｂ、１Ｃには、監視カメラ等を複数個、例えば３個用いる場合の各カメラの映像信号を入力する。３個以上のＮ個のカメラを用いるときは、Ｎ個の入力部１Ａ、１Ｂ、１Ｃ・・・１Ｎを設け、それらの映像入力ａ、ｂ、ｃ・・・ｎを第１ないし第３の映像切換部３、６、１１に入力する。タイミング制御部２は第１及び第２の映像切換部３及び６に接続され、映像入力部１Ａ，１Ｂ、１Ｃから入力される映像信号を切り換える。
【００１９】
タイミング制御部２は、異なる２種のタイミング信号をそれぞれ第１の映像切換部３と第２の映像切換部６に与える。第１の記憶部４は第１の映像切換部３に接続され第１の映像切換部３により切り換えられた映像信号を逐次記憶する。第１の映像出力部５は第１の記憶部４に接続され第１の記憶部４から読出した映像信号を出力する。第２の映像切換部６は、タイミング制御部２からのタイミング信号に従い映像信号を切り換える。第２の記憶部７は第２の映像切換部６に接続され、これにより切り換えられた映像信号を逐次記憶する。圧縮伸張部８は第２の記憶部７に接続され第２の記憶部７の映像を圧縮する。
【００２０】
記録媒体９は圧縮伸張部８により圧縮された映像を記憶する。また、圧縮伸張部８は記録媒体９に圧縮記録された映像を伸張する。切換タイミング入力部１０は外部映像記録装置１４に接続され、外部映像記録装置１４からの映像切換タイミング信号を入力する。第３の映像切換部１１は切換タイミング入力部１０に接続され、切換タイミング入力部１０からのタイミングに従い映像信号を切り換える。第３の記憶部１２は第３の映像切換部１１に接続され第３の映像切換部１１により切り換えられた映像信号を逐次記憶する。第２の映像出力部１３は第３の記憶部１２に接続され、第３の記憶部１２からの映像信号を出力する。
【００２１】
外部映像記録装置１４は第２の映像出力部１３に接続され、出力された映像信号を記録する。モニタ１５は第１の映像出力部５に接続され、第１の映像出力部５からの映像信号を映し出す。
【００２２】
図２は、本発明の第１の実施例における動作を示すタイミングチャートであり、１個の山状の図形は１フィールドの映像入力信号を示す。映像切換装置の映像入力部１Ａ、１Ｂ、１Ｃに映像入力ａ、ｂ、ｃが入力され、入力された３つの映像入力は同期が合っているものとする。タイミング制御部２の出力により、第１の映像切換部３は６０フィールド毎に切り換えられ、第２の映像切換部６は４フィールド毎に切り換えられる。また外部映像記録装置１４から切り換えタイミング入力部１０に入力される映像切換タイミング入力は１フィールド毎であり第３の映像切換部１１を１フィールド毎に切り換えた場合を示している。
【００２３】
以上のように構成された本実施例の映像切換録画再生装置の動作を、図１、図２を用いて説明する。図２は映像入力ａ、ｂ、ｃと映像信号ｄ、ｅ、ｆの各フィールドの時間軸上の配列を示す。
まず、監視カメラ等の映像を入力する３個の映像入力部１Ａ、１Ｂ、１Ｃに入力された映像入力ａ、ｂ、ｃは、第１の映像切換部３、第２の映像切換部６、第３の映像切換部１１に入力される。タイミング制御部２からの切換タイミング信号により第１の映像切換部３、第２の映像切換部６において映像信号が切り換えられる。切換タイミング信号によって、例えば第１の映像切換部３では映像入力ａ、ｂ、ｃが６０フィールド毎に切り換えられ、第２の映像切換部６では４フィールド毎に切り換えられる。従って、第１の映像切換部３の出力の映像信号ｄは映像入力ａ、ｂ、ｃが６０フィールドづつ順番に出力され、第２の映像切換部６の出力の映像信号ｅは映像入力ａ、ｂ、ｃが４フィールドづつ順番に出力される。映像信号ｄ及びｅの同じ映像入力が連続するフィールド数は６０及び４に限定されるものではなく任意の値に選定できる。
【００２４】
第１の記憶部４は第１の映像切換部３により切り換えられた映像信号ｄを逐次記憶し、第１の映像出力部５は第１の記憶部４から読出した映像信号を出力する。よって、第１の映像出力部５の出力は映像入力ａ、ｂ、ｃが６０フィールド毎に切り換えられた映像信号となる。
【００２５】
第２の記憶部７は第２の映像切換部６により切り換えられた映像信号ｅを逐次記憶する。圧縮伸張部８は第２の記憶部７から読出された映像信号ｅを圧縮し、記録媒体９はこの圧縮された映像を記憶する。即ち、映像入力ａ，ｂ，ｃが４フィールド毎に切り換えられ圧縮された映像信号ｅが記録媒体９に記憶される。記録媒体９の映像信号ｅを再生する場合には、圧縮伸張部８は記録媒体９に圧縮記録された映像信号ｅを伸張し、その伸張された映像信号ｅが、第１の記憶部４に記憶される。第１の記憶部４に記憶された映像信号ｅに含まれる映像入力ａ、ｂ、ｃのうちの所望の映像入力、例えば映像入力ａが第１の映像出力部５に選択的に読み出されて外部に出力されモニタ１５に表示される。
【００２６】
また、切換タイミング入力部１０は外部映像記録装置１４からの映像切換タイミング信号を入力する。第３の映像切換部１１は切換タイミング入力部１０からの切換タイミングに従い映像入力部１Ａ，１Ｂ，１Ｃからの映像入力ａ，ｂ，ｃを切り換える。即ち、外部映像記録装置１４からの映像切換タイミングが１フィールド毎であるので、第３の映像切換部１１の出力の映像信号ｆは映像入力ａ，ｂ，ｃが１フィールド毎に切り換えられた映像信号となる。
【００２７】
第３の記憶部１２は第３の映像切換部１１により切り換えられた映像信号ｆを逐次記憶し、第２の映像出力部１３は第３の記憶部１２から読出された映像信号を出力する。よって、第２の映像出力部１３の出力は映像入力ａ，ｂ，ｃが１フィールド毎に切り換えられた映像信号となる。
【００２８】
外部映像記録装置１４に第２の映像出力部１３から出力される映像信号を記録することができる。
【００２９】
前記のように外部に設けたモニタ１５には、第１の映像出力部５からの映像信号を映し出すことができる。即ち、６０フィールド毎に切り換えられた映像入力ａ，ｂ，ｃ映像を外部に設けたモニタ１３に映し出すことができる。
【００３０】
以上のように、本実施例の映像切換装置によれば、複数の監視カメラ等からの映像信号を任意のタイミングで切り換えながらハードディスクドライブ（ＨＤＤ）等の記録媒体９に記録できる。そして同時に、ＨＤＤ等に記録した映像と同じ映像、または、別の任意のタイミングで切り換えた映像、または、圧縮された映像を出力することにより、外部の記録装置によるバックアップ記録を可能にする、また、任意のタイミングで切り換えた映像を別途外部に設けたモニター１５等での確認を可能にする。
【００３１】
さらに、別の外部の記録装置に本来ＨＤＤに記録される映像等を記録しながら（即ち、常にバックアップ記録しながら）すでにＨＤＤ内に圧縮記録されている映像を確認することもできるという効果がある。
【００３２】
図３は、本発明の第１の実施例における映像切換録画再生装置を簡略化した構成を示すブロック図である。
【００３３】
図３に示す構成では、図１の第１の実施例の映像切換録画再生装置の第２の映像切換部６の映像信号ｅの代わりに第３の映像切換部１１の映像信号ｆを第２の記憶部７に入力する。そして第２の記憶部７からの映像信号を第２の映像出力部１３から出力するよう構成している。図１における第２の映像切換部６と第３の記憶部１２を用いないより簡単な構成によっても複数の映像入力を１個又は２個の記録媒体に記録できる。
【００３４】
《第２実施例》
次に、本発明の第２の実施例について、図４を参照しながら説明する。
図４は、本発明の第２の実施例における映像切換装置及び録画再生装置のブロック図である。
【００３５】
本発明の第２の実施例は、図１の第１の実施例の映像切換録画再生装置の記憶媒体９の代わりに、圧縮されたディジタル信号を入出力するためのディジタル入出力部９ａを設けている。また第２の映像出力部１３の代わりに圧縮部１３ａとディジタル出力部１３ｂとを備える。これらによって圧縮されたデジタル信号を直接外部装置に入出力することができる。
【００３６】
図３の映像切換録画再生装置に於いて、第２の映像出力部１３と、第２の記憶部７の映像信号を圧縮する圧縮伸張部８により圧縮された映像信号を記憶する記憶媒体９の代わりに、圧縮されたディジタル信号を入出力するための２つのディジタル入出力部を備えることにより圧縮された映像信号を直接外部装置と入出力できるようにしてもよい。
【００３７】
また本発明の第１、２、の実施例に於いて、切換タイミング入力部１０の代わりに他のタイミング制御部（図示省略）を備えることにより外部映像記録装置１４からの切換タイミング信号の入力がなくても第３の映像切換部が切換えれるようにしてもよい。
尚、本実施例では記録媒体としてＨＤＤを例に上げたが、ＤＶＤ−ＲＡＭ、ＤＶＤ，ＭＯ、フラッシュメモリ等の他の記録媒体を用いても同様の効果が得られる。
【００３８】
【発明の効果】
上記に説明したように、本発明の映像切換録画再生装置は、複数個の映像入力部と、これらの映像入力部からの映像を切り換える任意の２つのタイミングを制御するタイミング制御部と、このタイミング制御部からのタイミングに従い映像を切り換える第１の映像切換部と第２の映像切換部の２つの映像切換部と、第１の映像切換部により切り換えられた映像を逐次記憶する第１の記憶部と第２の映像切換部により切り換えられた映像を逐次記憶する第２の記憶部とを備えている。さらに、その第１の記憶部の映像を出力する第１の映像出力部と、第２の記憶部の映像を圧縮する圧縮伸張部と、その圧縮された映像を記憶する記憶媒体と、外部からの映像切換タイミングを入力する切換タイミング入力部と、この切換タイミングに従い前記複数個の映像入力部からの映像を切り換える第３の映像切換部と、第３の映像切換部により切り換えられた映像を逐次記憶する第３の記憶部と、その第３の記憶部の映像を出力する第２の映像出力部とを備えている。前記圧縮伸張部は、前記記録媒体に圧縮し記録された映像を伸張し前記第１の記憶部に逐次記憶させ前記第１の映像出力部から映像を出力させることにより、外部のモニタに表示させる。さらに数台の監視カメラ等からの映像を任意のタイミングで切り換えながら前記の記憶媒体または外部のハードディスクドライブ（ＨＤＤ）等の記録媒体に記録できる。また同時に、ＨＤＤ等に記録した映像と同じ映像、または、別の任意のタイミングで切り換えた映像、または、圧縮された映像を外部に出力することにより、外部の記録装置によるバックアップ記録を可能にする、また、任意のタイミングで切り換えた映像を別途外部に設けたモニター等での確認を可能にする。
【００３９】
さらに、別の外部の記録装置に本来ＨＤＤに記録される映像等を記録しながら（即ち、常にバックアップ記録しながら）すでに記録されたＨＤＤ内に圧縮記録されている映像を確認することもできるという効果が得られる。
さらに、デジタル出力部及びデジタル入出部を設けることにより、デジタル映像信号を外部の装置へ入出力することができる。
【図面の簡単な説明】
【図１】本発明の第１の実施例における映像切換装置のブロック図
【図２】図１の映像入力及び映像切換タイミングを示すタイミング図
【図３】本発明の第１の実施例の他の例における映像切換装置のブロック図
【図４】本発明の第２の実施例における映像切換装置のブロック図
【符号の説明】
１Ａ、１Ｂ、１Ｃ    複数個の映像入力部
２    タイミング制御部
３    第１の映像切換部
４    第１の記憶部
５    第１の映像出力部
６    第２の映像切換部
７    第２の記憶部
８    圧縮伸張部
９    記憶媒体
１０  切換タイミング入力部
１１  第３の映像切換部
１２  第３の記憶部
１３  第２の映像出力部
１４  外部の映像記憶装置
１５  外部のモニター
９ａ  ディジタル入出力部
１３ａ  圧縮部
１３ｂ  ディジタル出力部
【図１】
0003769358.tif 000002
【図２】
0003769358.tif 000003
【図３】
0003769358.tif 000004
【図４】
0003769358.tif 000005